(57)【要約】【課題】被写体の種類や撮影目的等に応じた撮影モードを用いた撮影時に、その撮影モードにより得られる効果の確認を容易に行えるようにする。【解決手段】特定の撮影モードでの撮影待機状態に、逐次撮像した画像から、撮影モードに対応する撮影条件が反映された条件反映画像と、基本となる撮影条件が反映された基本画像とを生成する。双方の画像から、撮影モードに対応して決められている特徴領域に相当する部分画像を個別に取得する。条件反映画像２０１と基本画像２０２に、各々から取得した部分画像２０５，２０５を拡大して合成し、第１及び第２のスルー画像としてモニター画面に並べて表示する。特定の撮影モードで得られる効果が微妙であっても、その効果を部分画像２０５，２０５から容易に確認することができる。【選択図】      図７
2010028250.tif 000002
【特許請求の範囲】
【請求項１】
被写体を撮像する撮像手段と、この撮像手段により取得された画像をスルー画像として表示する表示手段とを備えるとともに、所定の撮影条件に基づく撮影動作が行われる撮影モードが設けられたカメラ装置において、  前記撮影モードによる撮影動作に際し、前記撮像手段により取得された画像から前記撮影条件が反映された条件反映画像を生成する画像生成手段と、
この画像生成手段によって生成された条件反映画像から、前記撮影モードに対応する特徴領域に相当する画像内の部分画像を取得する画像取得手段と、
この画像取得手段により取得された部分画像を拡大して前記表示手段に表示させる表示制御手段と
を備えたことを特徴とするカメラ装置。
【請求項２】
前記撮像手段は、撮影レンズを介して被写体の画像を取得するとともに、撮影指示があった場合はその被写体を撮影して画像として取得することを特徴とする請求項１記載のカメラ装置。
【請求項３】
前記画像取得手段は、前記撮影モードと、該撮影モードに対応した前記特徴領域を記憶したデータテーブルを有することを特徴とする請求項１または２記載のカメラ装置。
【請求項４】
前記表示制御手段は、拡大後の前記部分画像が所定位置に合成された状態の前記条件反映画像を前記表示手段に表示させることを特徴とする請求項１又は２，３記載のカメラ装置。
【請求項５】
前記画像生成手段は、撮影待機中に前記撮像手段により取得された画像から前記撮影条件が反映された条件反映画像を生成し、
前記表示制御手段は、撮影待機中に前記部分画像を拡大して前記表示手段に表示させる
ことを特徴とする請求項１乃至４いずれか記載のカメラ装置。
【請求項６】
前記画像生成手段は、撮影指示に応答し前記撮像手段により取得された画像から前記撮影条件が反映された条件反映画像を生成し、
前記表示制御手段は、撮影指示後に前記部分画像を拡大して前記表示手段に表示させる
ことを特徴とする請求項１乃至４いずれか記載のカメラ装置。
【請求項７】
前記撮影モードによる撮影動作に際し、前記撮像手段により取得された画像から基本となる撮影条件が反映された基本画像を生成する第２の画像生成手段と、
この第２の画像生成手段によって生成された条件反映画像から、前記撮影モードに対応して予め決められている画像内の特徴領域に相当する部分画像を取得する第２の画像取得手段と
をさらに備え、
前記表示制御手段は、前記画像取得手段により取得された部分画像、及び前記第２の画像取得手段により取得された第２の部分画像をそれぞれ拡大して前記表示手段の同一画面上に表示させる
ことを特徴とする請求項１記載のカメラ装置。
【請求項８】
前記表示制御手段は、拡大後の前記部分画像が所定位置に合成された状態の前記条件反映画像、及び拡大後の前記第２の部分画像を所定位置に合成した状態の前記基本画像を前記表示手段の同一画面上に表示させる
ことを特徴とする請求項７記載のカメラ装置。
【請求項９】
前記画像生成手段は、撮影待機中に前記撮像手段により取得された画像から前記撮影条件が反映された条件反映画像を生成し、
前記第２の画像生成手段は、撮影待機中に前記撮像手段により取得された画像から基本となる撮影条件が反映された基本画像を生成し、
前記表示制御手段は、撮影待機中に、前記画像取得手段により取得された部分画像、及び前記第２の画像取得手段により取得された第２の部分画像をそれぞれ拡大して前記表示手段の同一画面上に表示させる
ことを特徴とする請求項７又は８記載のカメラ装置。
【請求項１０】
前記画像生成手段は、撮影指示に応答し前記撮像手段により取得された画像から前記撮影条件が反映された条件反映画像を生成し、
前記第２の画像生成手段は、撮影指示に応答し前記撮像手段により取得された画像から前記撮影条件が反映された条件反映画像を生成し、
前記表示制御手段は、撮影指示後に、前記画像取得手段により取得された部分画像、及び前記第２の画像取得手段により取得された第２の部分画像をそれぞれ拡大して前記表示手段の同一画面上に表示させる
ことを特徴とする請求項７又は８記載のカメラ装置。
【請求項１１】
前記撮影モードは、各々が互いに異なる撮影条件に基づく撮影により得られる画像を例示する複数の見本画像のいずれかを選択することによって設定される特定の撮影モードであることを特徴とする請求項１乃至１０いずれか記載のカメラ装置。
【請求項１２】
被写体を撮像する撮像手段と、この撮像手段により取得された画像をスルー画像として表示する表示手段とを備えるとともに、所定の撮影条件に基づく撮影動作が行われる撮影モードが設けられたカメラ装置において、
前記撮影モードによる撮影動作に際し、前記撮像手段により取得された画像から前記撮影条件が反映された条件反映画像を生成する工程と、
生成した条件反映画像から、前記撮影モードに対応する特徴領域に相当する画像内の部分画像を取得する工程と、
取得した部分画像を拡大して前記表示手段に表示する工程と
を含むことを特徴とする画像表示方法。
【請求項１３】
被写体を撮像する撮像手段と、この撮像手段により取得された画像をスルー画像として表示する表示手段とを備えるとともに、所定の撮影条件に基づく撮影動作が行われる撮影モードが設けられたカメラ装置が有するコンピュータに、
前記撮影モードによる撮影動作に際し、前記撮像手段により取得された画像から前記撮影条件が反映された条件反映画像を生成する手順と、
生成した条件反映画像から、前記撮影モードに対応する特徴領域に相当する画像内の部分画像を取得する手順と、
取得した部分画像を拡大して前記表示手段に表示する手順と
を実行させることを特徴とする画像表示プログラム。
【発明の詳細な説明】
【技術分野】
【０００１】
本発明は、決められた撮影条件に基づく撮影を行うための撮影モードを有するデジタルカメラ等のカメラ装置、及びその画像表示方法と画像表示プログラムに関するものである。
【背景技術】
【０００２】
従来、ＣＣＤ等の撮像素子を用いて撮像した画像をデジタルデータとして記録するとともに記録画像を表示する液晶モニタを備えたデジタルカメラでは、通常、撮影時の露出調整や光源の種類に応じた色バランス調整等を自動的に行う機能が設けられている。また、多くのデジタルカメラでは、例えばポートレートや花、風景、夜景といった被写体の種類や撮影目的に応じた複数の撮影モードが用意されており、撮影時には所望する撮影モードを選択するだけで、シャッタースピードや絞り値や光源の種類等の撮影条件が、被写体の種類や撮影目的により適したものに自動的に設定される。
【０００３】
また、例えば下記特許文献１には、撮影用の記録モードで撮影待機状態にあるとき、逐次撮像する画像に対し、現在選択されている撮影モードに応じた画像処理を施すことにより、現在の撮影モードで撮影が行われた場合に得られる画像とほぼ同一の参考画像を生成し、これを液晶モニタにスルー画像として表示する技術が記載されている。係る技術によれば、撮影者に現在の撮影モードによる効果を予め確認させることによって、その撮影モードの使用の適否等を判断させることが可能となる。
【特許文献１】特開２００５−２２９３２６号公報
【発明の開示】
【発明が解決しようとする課題】
【０００４】
しかしながら、上記技術を用いれば、選択した撮影モードの使用の適否等を撮影前に撮影者に判断させることが可能となるが、複数の撮影モードで得られる効果の違いは微妙な違いである。特に、撮影モードとして、多様な被写体や撮影目的等（以下、撮影シーンという。）に対応するものが多数用意されている場合には、各々の撮影モードで得られる効果の違いは一層微妙なものとなる。これに対し、選択した撮影モードに特有の効果を確認するには、スルー画像（参考画像）を表示する液晶モニタの画面サイズが不十分であり、撮影モードで得られる効果を撮影者に認識させることが難しいという問題があった。
【０００５】
本発明は、かかる従来の課題に鑑みてなされたものであり、被写体の種類や撮影目的等に応じた撮影モードを用いた撮影時に、その撮影モードにより得られる効果の確認を容易に行うことが可能なカメラ装置、及びその画像表示方法と画像表示プログラムを提供することを目的とする。
【課題を解決するための手段】
【０００６】
前記課題を解決するため請求項１記載の発明に係るカメラ装置にあっては、被写体を撮像する撮像手段と、この撮像手段により取得された画像をスルー画像として表示する表示手段とを備えるとともに、所定の撮影条件に基づく撮影動作が行われる撮影モードが設けられたカメラ装置において、前記撮影モードによる撮影動作に際し、前記撮像手段により取得された画像から前記撮影条件が反映された条件反映画像を生成する画像生成手段と、この画像生成手段によって生成された条件反映画像から、前記撮影モードに対応する特徴領域に相当する画像内の部分画像を取得する画像取得手段と、この画像取得手段により取得された部分画像を拡大して前記表示手段に表示させる表示制御手段とを備えたことを特徴とする。
【０００７】
また、請求項２記載の発明に係るカメラ装置にあっては、前記撮像手段は、撮影レンズを介して被写体の画像を取得するとともに、撮影指示があった場合はその被写体を撮影して画像として取得することを特徴とする。
【０００８】
また、請求項３記載の発明に係るカメラ装置にあっては、前記画像取得手段は、前記撮影モードと、該撮影モードに対応した前記特徴領域を記憶したデータテーブルを有することを特徴とする。
【０００９】
また、請求項４記載の発明に係るカメラ装置にあっては、前記表示制御手段は、拡大後の前記部分画像が所定位置に合成された状態の前記条件反映画像を前記表示手段に表示させることを特徴とする。
【００１０】
また、請求項５記載の発明に係るカメラ装置にあっては、前記画像生成手段は、撮影待機中に前記撮像手段により取得された画像から前記撮影条件が反映された条件反映画像を生成し、前記表示制御手段は、撮影待機中に前記部分画像を拡大して前記表示手段に表示させることを特徴とする。
【００１１】
また、請求項６記載の発明に係るカメラ装置にあっては、前記画像生成手段は、撮影指示に応答し前記撮像手段により取得された画像から前記撮影条件が反映された条件反映画像を生成し、前記表示制御手段は、撮影指示後に前記部分画像を拡大して前記表示手段に表示させることを特徴とする。
【００１２】
また、請求項７記載の発明に係るカメラ装置にあっては、前記撮影モードによる撮影動作に際し、前記撮像手段により取得された画像から基本となる撮影条件が反映された基本画像を生成する第２の画像生成手段と、この第２の画像生成手段によって生成された条件反映画像から、前記撮影モードに対応して予め決められている画像内の特徴領域に相当する部分画像を取得する第２の画像取得手段とをさらに備え、前記表示制御手段は、前記画像取得手段により取得された部分画像、及び前記第２の画像取得手段により取得された第２の部分画像をそれぞれ拡大して前記表示手段の同一画面上に表示させることを特徴とする。
【００１３】
また、請求項８記載の発明に係るカメラ装置にあっては、前記表示制御手段は、拡大後の前記部分画像が所定位置に合成された状態の前記条件反映画像、及び拡大後の前記第２の部分画像を所定位置に合成した状態の前記基本画像を前記表示手段の同一画面上に表示させることを特徴とする。
【００１４】
また、請求項９記載の発明に係るカメラ装置にあっては、前記画像生成手段は、撮影待機中に前記撮像手段により取得された画像から前記撮影条件が反映された条件反映画像を生成し、前記第２の画像生成手段は、撮影待機中に前記撮像手段により取得された画像から基本となる撮影条件が反映された基本画像を生成し、前記表示制御手段は、撮影待機中に、前記画像取得手段により取得された部分画像、及び前記第２の画像取得手段により取得された第２の部分画像をそれぞれ拡大して前記表示手段の同一画面上に表示させることを特徴とする。
【００１５】
また、請求項１０記載の発明に係るカメラ装置にあっては、前記画像生成手段は、撮影指示に応答し前記撮像手段により取得された画像から前記撮影条件が反映された条件反映画像を生成し、前記第２の画像生成手段は、撮影指示に応答し前記撮像手段により取得された画像から前記撮影条件が反映された条件反映画像を生成し、前記表示制御手段は、撮影指示後に、前記画像取得手段により取得された部分画像、及び前記第２の画像取得手段により取得された第２の部分画像をそれぞれ拡大して前記表示手段の同一画面上に表示させることを特徴とする。
【００１６】
また、請求項１１記載の発明に係るカメラ装置にあっては、前記撮影モードは、各々が互いに異なる撮影条件に基づく撮影により得られる画像を例示する複数の見本画像のいずれかを選択することによって設定される特定の撮影モードであることを特徴とする。
【００１７】
また、請求項１２記載の発明に係る画像表示方法にあっては、被写体を撮像する撮像手段と、この撮像手段により取得された画像をスルー画像として表示する表示手段とを備えるとともに、所定の撮影条件に基づく撮影動作が行われる撮影モードが設けられたカメラ装置において、前記撮影モードによる撮影動作に際し、前記撮像手段により取得された画像から前記撮影条件が反映された条件反映画像を生成する工程と、生成した条件反映画像から、前記撮影モードに対応する特徴領域に相当する画像内の部分画像を取得する工程と、取得した部分画像を拡大して前記表示手段に表示する工程とを含むことを特徴とする。
【００１８】
また、請求項１３記載の発明に係る画像表示プログラムにあっては、被写体を撮像する撮像手段と、この撮像手段により取得された画像をスルー画像として表示する表示手段とを備えるとともに、所定の撮影条件に基づく撮影動作が行われる撮影モードが設けられたカメラ装置が有するコンピュータに、前記撮影モードによる撮影動作に際し、前記撮像手段により取得された画像から前記撮影条件が反映された条件反映画像を生成する手順と、生成した条件反映画像から、前記撮影モードに対応する特徴領域に相当する画像内の部分画像を取得する手順と、取得した部分画像を拡大して前記表示手段に表示する手順とを実行させることを特徴とする。
【発明の効果】
【００１９】
本発明によれば、被写体の種類や撮影目的等に応じた撮影モードを用いた撮影時に、その撮影モードにより得られる効果の確認を容易に行うことが可能となる。
【発明を実施するための最良の形態】
【００２０】
以下、本発明の一実施の形態を図にしたがって説明する。
【００２１】
（実施形態１）
【００２２】
以下、本発明の一実施の形態を図にしたがって説明する。本実施形態のデジタルカメラはＡＦ（オートフォーカス）、ＡＥ（自動露出）、ＡＷＢ（オートホワイトバランス）といった一般的な機能を備えたものである。図１は、以下に述べる各実施の形態に共通するデジタルカメラの外観を示す図であって、同図（ａ）は正面側の斜視図、同図（ｂ）は背面側の斜視図である。
【００２３】
図１（ａ）に示したように、薄型のカメラ本体１の前面には撮影レンズ部２、光学ファインダ３、ストロボ発光部１６が配置され、カメラ本体１の上面には電源キー４及びシャッターキー５が配置されている。前記撮影レンズ部２は沈胴式であって、多段階に伸縮する鏡筒６の内部に、ズームレンズ及びフォーカスレンズを含む光学系７が光軸方向に移動可能に保持されている。また、図１（ｂ）に示したように、カメラ本体１の背面には前記光学ファインダ３、記録モード設定用のＲＥＣ（Ｒｅｃｏｒｄｉｎｇ）キー８、再生モード設定用のＰＢ（Ｐｌａｙｂａｃｋ）キー９、ズーム操作キー１０、メニューキー１１、ディスプレイキー１２と、方向キー１３、及びその内側のセットキー１４の各スイッチ類と、液晶モニタ１５が配置されている。液晶モニタ１５は、表示画面として４：３よりも横長の縦横比の画面を有しており、記録モードでの撮影待機時においては被写体画像（スルー画像）、及び種々の情報を表示する本発明の表示手段である。なお、液晶モニタ１５には、デジタルカメラに設けられている種々の機能別の動作内容を設定するためのメニュー画面や設定画面も表示される。
【００２４】
図２は、前記デジタルカメラの主として電気的構成の概略を示すブロック図である。デジタルカメラはシステムの全体の制御を行うＣＰＵ２１を中心として以下の各部から構成されている。図２においてレンズブロック２２は、前記光学系７の駆動部を示したブロックであり、光学系７の駆動源であるモーター２３の駆動を制御するためのモータードライバ２４がバス２５を介してＣＰＵ２１と接続されている。バス２５には、必要に応じて撮影補助光を発光する発光管、及びその駆動回路等を含むストロボ回路２６と、ＳＤＲＡＭ３２、外部メモリ３３、フラッシュメモリ３４が接続されている。
【００２５】
なお、図２では使用略するが、モーター２３とモータードライバ２４とは、実際にはズーム用、フォーカス用、絞り用に複数組設けられている。そして、ＣＰＵ２１からの制御信号に応じてモータードライバ２４がモーター２３を駆動することにより、電源オンオフ時等における撮影レンズ部２のカメラ本体１からの繰り出し、及びカメラ本体１への収納や、光学系７のズーム倍率の変更、フォーカス調整、絞り調整が行われる。
【００２６】
一方、本実施形態のデジタルカメラは撮像素子（撮像手段）としてＣＣＤ２７を有している。ＣＣＤ２７は、ＣＰＵ２１の命令に従いタイミング発生器（ＴＧ：Timing Generator）２８が生成するタイミング信号に基づき垂直及び水平ドライバ２９によって駆動され、光学系７により結像された被写体の光学像を撮像信号に光電変換し、アナログ信号処理部３０に出力する。アナログ信号処理部３０は、ＣＣＤ２７の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部３１へ出力する。
【００２７】
画像処理部３１は、入力した撮像信号に対しペデスタルクランプ等の処理を施し、それを輝度（Ｙ）信号及び色差（ＵＶ）信号に変換するとともに、画素補間や、ＣＰＵ２１の指示に従ってホワイトバランス調整、輪郭強調などのデジタル信号処理を行う。画像処理部３１で変換されたＹＵＶデータは前記ＳＤＲＡＭ３２に順次格納されるとともに、撮影用の記録モードでの撮影待機状態においては、ＳＤＲＡＭ３２に１フレーム分のデータ（画像データ）が蓄積される毎に、それがビデオ信号に変換された後、前記液晶モニタ（ＬＣＤ）１５においてスルー画像として画面表示される。
【００２８】
また、シャッターキー５による撮影指示に応答した撮影処理時には、ＳＤＲＡＭ３２に一時記憶された画像データ（ＹＵＶデータ）が、ＣＰＵ２１により圧縮され、ＳＤＲＡＭ３２内のバッファ領域にいったん蓄積された後、最終的には所定のフォーマットの画像ファイルとして前記外部メモリ３３に記録される。外部メモリ３３は図示しないカードインターフェイスを介して接続されたカメラ本体１に着脱自在なメモリカードである。外部メモリ３３に記録された画像ファイルは、再生モードにおいてユーザーの選択操作に応じてＣＰＵ２１によって適宜読み出されるとともに伸張され、ＹＵＶデータとしてＳＤＲＡＭ３２に展開された後、液晶モニタ１５に表示される。
【００２９】
ＣＰＵ２１にはマイコン３５が接続されており、マイコン３５にはキー入力部３６と、例えばニッケル水素電池等の充電可能なバッテリー３７の電力を上記各部に供給するための電源制御回路３８が接続されている。キー入力部３６は、前述した電源キー４、シャッターキー５、ＰＢキー９、ズーム操作キー１０、メニューキー１１、ディスプレイキー１２、方向キー１３、セットキー１４により構成される。なお、シャッターキー５は、半押し操作と全押し操作との２段階操作が可能な所謂ハーフシャッター機能を備えたものであり、半押し操作はＡＦロックやＡＥロック等に使用され、全押し操作は実際の撮影指示に使用される一般的な構成である。マイコン３５は、キー入力部３６における各操作キーの操作状態を定常的にスキャンし、ユーザーによるキー操作に応じた操作信号をＣＰＵ２１へ送り、また電源制御回路３８からのＣＰＵ２１を含む前述した各部への電源供給を制御する。
【００３０】
前記フラッシュメモリ３４はプログラムメモリであると同時に内蔵画像メモリであって、フラッシュメモリ３４には、図３に示したように、所謂ファームウェアを記憶するためのシステム領域１０１と画像データ記憶領域１０２とが確保されている。画像データ記憶領域１０２には、前記外部メモリ３３（メモリカード）が装着されていない状態にあるとき等において撮影により取得された圧縮後の画像データ２０５が記憶される。また前記システム領域１０１には、プログラムデータ２０１、撮影条件データ２０２、見本画像データ２０３、特徴領域データ２０４が格納されている。
【００３１】
プログラムデータ２０１は、ＣＰＵ２１による前述した各部の制御及びデータ処理に必要な各種の制御プログラムである。制御プログラムには、ＣＰＵ２１にＡＦ制御やＡＥ制御、ＡＷＢ制御を行わせるためのプログラム、及びＡＥ制御に際して適正な露出値（ＥＶ）に対応する絞り値（Ｆ）とシャッタースピードとの組み合わせを示すプログラム線図を構成するプログラムＡＥデータと、後述するベストショットモードでの撮影に際して、ＣＰＵ２１に、後述する処理を行わせるための画像表示プログラムとが含まれる。
【００３２】
上記ベストショットモードは、記録モードの下位モードとして設けられている撮影モードであって、撮影に先立ち、これから撮影しようとする特定の被写体や撮影目的等（以下、撮影シーンという。）を、予め用意されている複数の撮影シーンの中からユーザーに選択させることにより、撮影時には選択された見本画像（撮影シーン）に対応する所定の撮影条件、例えばフォーカス制御方法や、シャッター速度、絞り、ＥＶシフト量、感度といった露出調整用の撮影条件、後述する画質調整用の撮影条件を自動的に設定するモードである。言い換えると多様な撮影シーンに対応して予め用意されている多数の撮影モードを容易かつ的確に選択可能としたモードである。
【００３３】
前述した撮影条件データ２０２は、上記ベストショットモードを用いた撮影に際して使用されるデータである。撮影条件データ２０２はベストショットモードで選択可能な複数の撮影シーン、つまり複数の撮影モードの各々に対応する撮影条件を示す、図４に示したような撮影条件設定テーブルＴを構成するデータである。撮影条件設定テーブルＴは、複数の撮影シーン（複数の撮影モード）に付与された管理用の撮影条件番号に対応する撮影条件名と、撮影時に設定すべき複数の撮影パラメータの値の組み合わせを示すものであって、撮影パラメータとしては、図示した色強調、シャープネス、彩度、ホワイトバランス、フィルタ（フィルタの種類）等であり、任意の撮影条件番号の撮影シーンが選択されているときの撮影時には、そのとき選択されている撮影シーンに対応する値が各々の撮影パラメータの値として設定される。
【００３４】
なお、図４には、複数の撮影パラメータの例として画質調整用のパラメータのみを便宜的に示したが、実際には、前述したＡＦ機能のオンオフや、ＡＦ時におけるピント合わせの方法に関するパラメータや、ストロボ発光の有無や強度を示す設定パラメータ、露出制御用のパラメータ（シャッター速度、絞り値、ＥＶ補正値）等も含まれる。また、図に示した数値は、ベストショットモードを使用しない場合の撮影時、つまりオートモード（全てを自動で行う撮影モード）での撮影時を基準として調整度合の段階数であり、値が空欄となっているパラメータについては、オートモードでの撮影時に自動的に設定される値がそのまま使用される。また、ベストショットモードにおいても手動により設定可能なパラメータについてはユーザーに設定された値がそのまま使用される。
【００３５】
また、前記見本画像データ２０３は、ベストショットモードの使用に際して、液晶モニタ１５に表示される所定のシーン選択画面（図示せず）において選択可能な撮影シーンを示すと同時に、各々の撮影シーンを選択して撮影を行った場合に得られる画像を例示する見本画像のデータである。前記特徴領域データ２０４は、ベストショットモードにおいて、当該モードで使用可能な機能である比較表示機能がオン設定されているとき使用されるデータであって、前述した複数の撮影シーンに対応して決められている特徴領域の有無、及び特徴領域の内容を示すデータである。
【００３６】
上記の特徴領域は、所定の撮影シーンが選択されたベストショットモードによる撮影に際し画角内に存在することが予想されるとともに、撮影後の画像において重要と考えられる撮影シーンのコンセプトに基づいた特定の領域であって、図５に示したように、本実施形態では図４に示した複数の撮影シーンのうちで特定の撮影条件番号「０００１」、「０００３」、「０００４」、「０００７」、「００１０」の各撮影シーンについては互いに異なる特徴領域Ａ，Ｂ，Ｃが決められている。ここで特徴領域Ａは任意の人物の顔部分に相当する領域であり、特徴領域Ｂは輝度が最大である部分を含む決められた大きさ（画素サイズ）の領域、特徴領域Ｃは最も大きな１つの文字に対応する領域である。なお、ここで説明した特徴領域の具体的な内容、及びそれらと撮影シーンとの対応関係は一例であり、これに限定されるものではない。
【００３７】
次に、以上の構成からなるデジタルカメラの記録モードでの動作について説明する。本実施形態のデジタルカメラは、前述したベストショットモードが使用されない撮影時、つまりオートモードでの撮影時には、基本的なＡＦ、ＡＥ、ＡＷＢ処理によって被写体の明るさに応じた適正露出、及び撮影環境に応じたホワイトバランスを確保するとともに、基本的な信号処理を伴う撮影動作を行う。つまり汎用的な撮影動作によって撮影画像を取得し記録する。これに対し、既説したようにベストショットモードを用いた撮影時には、前述した所定のシーン選択画面において見本画像を介してユーザーにより選択された撮影シーンに対応する所定の撮影条件を自動的に設定することにより、特定の撮影シーンに応じたＡＦ、ＡＥ、ＡＷＢ処理、及び信号処理を伴う撮影動作を行う。
【００３８】
なお、以下の説明では、オートモードでの撮影時に設定される撮影条件をオートによる撮影条件と呼び、ベストショットモードにおいて自動的に設定される任意の撮影シーンに対応する所定の撮影条件と区別する。
【００３９】
図６は、ユーザーが前述した比較表示機能をオン設定した状態でベストショットモードを用いて撮影を行う場合において、ユーザーにより所望の撮影シーンが選択された後のＣＰＵ２１の処理内容を示すフローチャートである。
【００４０】
ＣＰＵ２１は、ユーザーにより撮影シーンが選択されると、ＣＣＤ２７を所定のフレームレート（例えば３０ｆｐｓ）で駆動することにより、一定時間毎の画像の取り込みを開始する（ステップＳＡ１）。引き続き、ここで取り込んだ画像（ＳＤＲＡＭ３２に蓄積された画像データ）に対して、選択された撮影シーンに対応する撮影条件にしたがった画像処理を施した第１のスルー画像（条件反映画像）と、オートによる撮影条件にしたがった画像処理を施した第２のスルー画像（基本画像）とを個別に作成する（ステップＳＡ２）。なお、撮影シーンに対応する撮影条件にＥＶ補正値が存在しているときには、第１のスルー画像の作成に際して行われる上記画像処理にはＥＶ補正値に応じた明るさ調整が含まれる。
【００４１】
次に、ユーザーに選択された撮影シーンが、前述した特徴領域が決められているものであるか否かを確認し、特徴領域が決められているものである場合には（ステップＳＡ３でＹＥＳ）、以下の処理を行う。まず、ステップＳＡ２で作成した２つのスルー画像から、決められている特徴領域に対応する部分画像をそれぞれ切り出す（ステップＳＡ４）。具体的には、ＳＤＲＡＭ３２に蓄積された画像データにおいて特徴領域に相当する領域を確定し、確定した領域部分に対応した部分画像データを第１及び第２のスルー画像のデータから個別に取得する。
【００４２】
上記特徴領域に相当する領域の確定に際しては、選択されている撮影シーンに応じて決められている具体的な特徴領域の具体的な内容（図５参照）に応じた所定の処理を行う。例えば撮影シーンに対応する撮影条件名が「人物」又は「人物＋風景」であれば、画像内に存在する任意の人物の顔部分に相当する領域を検出する顔検出処理を行うことによって特徴領域Ａに相当する領域を確定する。なお、顔検出方法については任意である。また、撮影シーンに対応する撮影条件名が「文字」であれば、画像内に存在する文字に対応する複数の領域（１文字分の領域）を検出するとともに、検出した複数の領域の中で最も面積が大きな領域を特徴領域Ｃに相当する領域として確定する。
【００４３】
引き続き、双方のスルー画像に、切り出した各々の特徴領域に相当する部分画像をそれぞれ拡大して合成或いは重畳させた第１及び第２のスルー画像を液晶モニタ１５に並べて表示させる（ステップＳＡ５）。係る処理に際しては、スルー画像の４隅のいずれかの隅に接するとともに特徴領域に相当する領域を含まない最大の矩形領域を特定した後、特徴領域に相当する部分画像を、予め決められている最大サイズ（例えばスルー画像の３０％のサイズ）を上限として上記矩形領域に収まる最大サイズに拡大するとともに、拡大後の画像を上記矩形領域が接する４隅のいずれかの隅に配置する。
【００４４】
図７は、上記ステップＳＡ５の処理によって第１及び第２のスルー画像が表示された状態での液晶モニタ１５の表示画面を便宜的に示した図であって、選択された撮影シーンに対応する撮影条件名が「人物」又は「人物＋風景」（図４参照）であった場合の例である。この表示画面においては、左側の画像部分が第１のスルー画像３０１、右側の画像部分が第２のスルー画像３０２である。また、第１及び第２のスルー画像３０１，３０２に破線で示した領域が特徴領域に相当する部分画像３０３であるとともに、左上の隅に接する画像部分が第１及び第２のスルー画像３０１，３０２各々において特徴領域に相当する部分画像３０３が拡大された拡大画像３０４，３０５である。
【００４５】
なお、ステップＳＡ５においてＣＰＵ２１は、図７に示したように、第１のスルー画像３０１（左側）の上部には、それがベストショットモードによる撮影条件が反映されたスルー画像であることを示す第１の識別マーク４０１を表示させ、かつ第２のスルー画像３０１（右側）の上部に、それがオートによる撮影条件が反映されたスルー画像であることを示す第２のマーク４０２を表示させる。また、第１のスルー画像３０１の側に、太線で示した選択枠５０１をデフォルトで表示させる。
【００４６】
一方、上記とは異なり、ユーザーに選択された撮影シーンが、前述した特徴領域が決められていないものである場合には（ステップＳＡ３でＮＯ）、ステップＳＡ２で作成した第１及び第２のスルー画像をそのまま液晶モニタ１５に並べて表示させる（ステップＳＡ６）。つまり、例えば撮影対象が図７に例示したものと同一であっても、そのとき選択されている撮影シーンが、対応する撮影条件名が「風景」（図４参照）であった場合には、前述した拡大画像３０４，３０５が存在しない状態の第１及び第２のスルー画像３０１，３０２のみを液晶モニタ１５に表示させる。
【００４７】
引き続き、ＣＰＵ２１は、上述したようにステップＳＡ４又はステップＳＡ６で第１及び第２のスルー画像を液晶モニタ１５に表示させた状態で、方向キー１３による画像選択枠切換操作があれば（ステップＳＡ７でＹＥＳ）、前述した選択枠５０１の表示位置を切り換える（ステップＳＡ８）。また、セットキー１４による画像の決定操作が無ければ（ステップＳＡ９でＮＯ）、ステップＳＡ１へ戻り前述した処理を繰り返す。
【００４８】
そして、画像の決定操作があったら（ステップＳＡ９でＹＥＳ）、その時点で選択（選択枠５０１が表示）されている側のスルー画像のみを液晶モニタ１５に表示させる処理、すなわち被写体画像の取り込みとともに、第１のスルー画像又は第２のスルー画像の一方を作成し表示させる処理に移行する（ステップＳＡ１０）。図８は、上記の画像決定後における液晶モニタ１５の表示画面を示した図であって、第１のスルー画像３０１のみが表示された場合を示す図７に対応した図である。
【００４９】
以後、シャッターキー５の全押しによる撮影指示があるまでの間は（ステップＳＡ１１でＮＯ）、ステップＳＡ１０によるスルー画像の表示処理を繰り返す。やがてシャッターキー５が全押しされたら（ステップＳＡ１１でＹＥＳ）、その時点で、記録用の画像の取り込みを行う（ステップＳＡ１２）。なお、画像の取り込みに際してはＡＥ制御によって適正露出を確保する。しかる後、取り込んだ画像に対して、それまで表示していたスルー画像に適用中の撮影条件に従った画質調整処理を施し（ステップＳＡ１３）、処理後の画像を圧縮して外部メモリ３３に保存する（ステップＳＡ１４）。これにより一回の撮影動作を完了する。
【００５０】
以上のように本実施形態のデジタルカメラにあっては、ベストショットモードを用いた撮影時において比較表示機能がオン設定されていると、撮影待機状態において、選択した撮影シーンに対応する撮影条件が反映された第１のスルー画像と、オートによる撮影条件が反映された第２のスルー画像とが液晶モニタ１５に並んで表示される。しかも、撮影シーンとして、対応する撮影条件名が「人物」又は「人物＋風景」である撮影シーンのように、特徴領域すなわち撮影後の画像において重要と考えられる特定の領域が予め決められている撮影シーンが選択されているときには、第１及び第２のスルー画像の各々に特徴領域に相当する部分画像の拡大画像が合成或いは重畳して表示される。
【００５１】
これにより、ユーザー（撮影者）は、第１及び第２のスルー画像を見比べることによってベストショットモード（選択した撮影シーンに対応する特定の撮影モード）の使用の適否等をシャッターキー５の全押し操作による撮影指示を行う以前の段階において判断することができる。しかもその際には、ベストショットモードで撮影することにより得られる効果が微妙なものであったとしても、その効果を、第１及び第２のスルー画像における特徴領域に相当する部分画像の拡大画像において容易に確認することができる。
【００５２】
係ることから、ユーザーにおいては、撮影を終了した後、動作モードを再生モードに切り換えるか、或いは記録モードで直前の記録画像が表示可能であれば記録モードのままで、記録画像をいったん再生するとともに、その重要部分を拡大表示することによって、当初意図した効果が得られているか否かをいちいち確認することなく、その結果、自分のイメージにより近い撮影画像を容易に得ることが可能となる。
【００５３】
なお、本実施形態においては、液晶モニタ１５に並べて表示する第１及び第２のスルー画像を一定時間毎に取り込んだ同一の画像から作成するようにしたが、以下のようにしてもよい。例えば前述したステップＳＡ２の処理では第１のスルー画像を奇数フレームから作成し、かつ第２のスルー画像を偶数フレームから作成するものとし、ステップＳＡ４の処理を第１スルー画像または第２のスルー画像のいずれか一方に対して行うとともに、ステップＳＡ５、及びステップＳＡ６では第１及び第２のスルー画像を交互に更新して表示させる処理を行うようにしてもよい。その場合には、第１及び第２のスルー画像の作成に要する処理負担を軽減することができる。
【００５４】
また、撮影シーンとして特徴領域が予め決められている撮影シーンが選択されているときには、無条件に第１及び第２のスルー画像に各々の特徴領域に相当する部分画像を拡大して合成表示させたが、この部分画像の拡大画像は、例えばシャッターキー５が半押しされている間や、それ以外の所定のキーが押されている間のみ表示させてもよいし、所定のキー操作により必要に応じてこの拡大画像の表示をオンオフできるようにしてもよい。さらに、その場合には、第１及び第２のスルー画像の各々の特徴領域に相当する部分画像の拡大画像のみを液晶モニタ１５に並べて表示するようにしても構わない。
【００５５】
また、本実施形態ではベストショットモードで比較表示機能がオン設定されているとき、ＣＰＵ２１に図６に示した処理を行わせるようにしたが、これとは別に、ベストショットモードによる動作中に、ＣＰＵ２１に以下の処理を行わせるようにしてもよい。例えば撮影待機状態では液晶モニタ１５に通常のスルー画像を表示させ、シャッターキー５が半押しされている間や、それ以外の所定のキーが押されている間に、通常のスルー画像に代えて撮影シーンに対応する撮影条件が反映された第１のスルー画像を表示させるとともに、その際、撮影シーンとして特徴領域が予め決められている撮影シーンが選択されているときには、当該第１のスルー画像に、その特徴領域に相当する領域を拡大して合成表示させる処理を行わせるようにしてもよい。さらには、上述したキー操作と関係なく、撮影待機状態においては常に撮影シーンに対応する撮影条件が反映された第１のスルー画像、又は特徴領域に相当する領域を拡大して合成した第１のスルー画像のみを表示させる処理を行わせるようにしてもよい。
【００５６】
（実施形態２）
次に、本発明の第２の実施形態について説明する。本実施形態は、図３に示したフラッシュメモリ３４のシステム領域１０１に、ユーザーが前述した比較表示機能をオン設定した状態でベストショットモードを用いて撮影を行う場合に、ＣＰＵ２１に、第１の実施形態とは異なる図９に示した処理を行わせるための画像表示プログラムが格納されているデジタルカメラに関するものである。
【００５７】
図９は、図６と同様、ユーザーにより所望の撮影シーンが選択された後のＣＰＵ２１の処理内容を示すフローチャートである。以下説明すると、ＣＰＵ２１は、ユーザーにより撮影シーンが選択されると、ＣＣＤ２７の駆動を開始するとともに、ＣＣＤ２７により撮像された画像に基づく通常のスルー画像を液晶モニタ１５に表示させる処理を開始し（ステップＳＢ１）、シャッターキー５の全押し操作による撮影指示があるまで（ステップＳＢ２でＮＯ）、一定時間毎にスルー画像の表示（更新）を行う。
【００５８】
その後、シャッターキー５が全押しされたら（ステップＳＢ２でＹＥＳ）、記録用の画像の取り込みを行う（ステップＳＢ３）。係る画像の取り込み時にはＡＥ制御によって適正露出を確保するとともに、その際、選択されている撮影シーンに対応する撮影条件にＥＶ補正値が存在しているときには、それをＡＥ制御に反映させる。
【００５９】
しかる後、取り込んだ画像に対して、そのとき選択されている撮影シーンに対応する撮影条件にしたがった画像処理を施した第１の撮影画像（条件反映画像）と、オートによる撮影条件にしたがった画像処理を施した第２の撮影画像（基本画像）とを個別に作成する（ステップＳＢ４）。このとき、ステップＳＢ３で撮影シーンに対応する撮影条件を反映したＡＥ制御を行っていた場合には、第２の撮影画像の作成に際して行われる上記画像処理にはＥＶ補正値に応じた明るさ調整を行う。
【００６０】
次に、ユーザーに選択された撮影シーンが、前述した特徴領域が決められているものであるか否かを確認し、特徴領域が決められているものである場合には（ステップＳＢ５でＹＥＳ）、ステップＳＢ４で作成した２つの撮影画像から、決められている特徴領域に対応する部分画像をそれぞれ切り出した後（ステップＳＢ６）、切り出した各々の部分画像をそれぞれ拡大して合成或いは重畳させた状態で第１及び第２の撮影画像を記録候補として液晶モニタ１５に並べて表示させる（ステップＳＢ７）。
【００６１】
なお、ステップＳＢ６，ＳＢ７の具体的な処理内容については図６で説明したステップＳＡ４，ＳＡ５の場合と同様である。また、このとき選択された撮影シーンに対応する撮影条件名が「人物」又は「人物＋風景」であった場合における液晶モニタ１５の表示画面は、例えば図７において第１及び第２のスルー画像３０１，３０２とを第１及び第２の撮影画像に置き換えたようなものとなる。
【００６２】
一方、上記とは異なり、ユーザーに選択された撮影シーンが、前述した特徴領域が決められていないものである場合には（ステップＳＢ５でＮＯ）、ステップＳＢ４で作成した第１及び第２の撮影画像のみを記録候補として液晶モニタ１５に並べて表示させる（ステップＳＢ８）。
【００６３】
引き続き、ＣＰＵ２１は、上述したようにステップＳＢ７又はステップＳＢ８で第１及び第２の撮影画像を液晶モニタ１５に並べて表示させた後には、所定のキー操作による記録画像の選択（決定を含む）待ちを行う（ステップＳＢ９）。その間に所定のキーによる第１及び第２の撮影画像を破棄する旨の指示があれば（ステップＳＢ９がＮＯ、ステップＳＢ１０でＹＥＳ）、ステップＳＢ１へ戻って先に説明した処理を繰り返すことにより、前回作成した第１及び第２の撮影画像を破棄するとともに、新たに第１及び第２の撮影画像を取得する。
【００６４】
そして、第１の撮影画像又は第２の撮影画像が選択されたら（ステップＳＢ９でＹＥＳ）、選択された側の撮影画像を圧縮して外部メモリ３３に保存する（ステップＳＢ１１）。これにより一回の撮影動作を完了する。
【００６５】
以上のように本実施形態においては、ベストショットモードを用いた撮影時において比較表示機能がオン設定されていると、シャッターキー５を全押した直後に、選択した撮影シーンに対応する撮影条件が反映された第１の撮影画像と、オートによる撮影条件が反映された第２の撮影画像とが記録候補として液晶モニタ１５に並んで表示される。しかも、撮影シーンとして、特徴領域（撮影後の画像において重要と考えられる特定の領域）が予め決められている撮影シーンが選択されているときには、第１及び第２の撮影画像の各々に特徴領域に相当する領域の拡大画像が合成或いは重畳して表示される。
【００６６】
これにより、ユーザー（撮影者）は、第１及び第２の撮影画像を見比べることによってベストショットモード（選択した撮影シーンに対応する特定の撮影モード）の使用の適否等を、撮影した画像を実際に記録する以前の段階において判断することができる。しかもその際には、ベストショットモードで撮影することにより得られる効果が微妙なものであったとしても、その効果を、第１及び第２の撮影画像における特徴領域に相当する領域の拡大画像において容易に確認することができる。
【００６７】
係ることから、第１の実施形態と同様、ユーザーにおいては、撮影を終了した後、動作モードを再生モードに切り換えるか、或いは記録モードで直前の記録画像が表示可能であれば記録モードのままで、記録画像をいったん再生するとともに、その重要部分を拡大表示することによって、当初意図した効果が得られているか否かをいちいち確認する必要が無く、その結果、自分のイメージにより近い撮影画像を容易に得ることが可能となる。
【００６８】
なお、本実施形態においては、シャッターキー５を全押した直後に、選択した撮影シーンに対応する撮影条件が反映された第１の撮影画像と、オートによる撮影条件が反映された第２の撮影画像とを記録候補として液晶モニタ１５に並んで表示させ、かつ撮影シーンとして特徴領域が予め決められている撮影シーンが選択されているときには、その特徴領域に相当する領域の拡大画像を合成した状態で第１及び第２の撮影画像を表示させるようにしたが、これとは異なり第１の撮影画像のみを表示させるようにしてもよい。その場合、特徴領域に相当する領域の拡大画像は無条件に表示してもよいし、所定のキー操作により必要に応じてその表示をオンオフできるようにしてもよい。なお、特徴領域に相当する領域の拡大画像の表示をオンオフ可能とする場合には、第１の撮影画像と共にその領域の拡大表示が可能であることを示すマーク等を液晶モニタ１５に表示させればよい。
【００６９】
ここで、以上の説明した第１及び第２の実施形態において、前記部分画像３０３は、撮影モードに対応して予め決められている特徴領域に相当する領域を検出することとしたが、これに限らず、例えばユーザー（撮影者）が部分画像３０３を自由に設定できる構成としてもよい。具体的には、撮影待機中或いは撮影後に取得された画像にオートモード及び撮影モードに対応する撮影条件をそれぞれ反映させた第１及び第２のスルー画像を図７のように表示する際に、部分画像３０３の選択枠を表示し、その選択枠を移動操作できることとしてもよいし、液晶モニタ１５がタッチパネル等のセンサを搭載している場合は、ユーザーが指でモニタ上をタッチすることで、そのタッチされた周辺領域を特徴領域に相当する部分画像として設定する構成としてもよい。
【００７０】
また、以上の説明した第１及び第２の実施形態において、上述の特徴領域に相当する部分画像が複数検出された場合は、例えば、その複数の部分画像のうちで最も大きい領域の部分画像や、最もコントラスト比が大きい領域の部分画像や、最も画像の中心に近い位置にある領域の部分画像が自動的に選択される構成としてもよい。
【００７１】
また、以上の説明した第１及び第２の実施形態においては、記録モードの下位モードとして、撮影対象や撮影目的等が異なる多様な撮影シーンに対応して予め用意されている多数の撮影モードを容易かつ的確に選択可能としたベストショットモードが設けられているデジタルカメラに本発明を適用した場合について説明したが、本発明は、ベストショットモードを有していないものにも適用可能である。例えば撮影モードとして、ポートレートや花、風景、夜景といった個別の被写体の種類や撮影目的に応じた撮影モードを有するデジタルカメラにも適用可能である。
【００７２】
その場合においても、１又は複数の撮影モードに特徴領域を予め決めておき、それらの撮影モードでの撮影時には、当該撮影モードに対応する撮影条件が反映されたスルー画像や撮影画像における上記の特徴領域を拡大して表示することにより、当該撮影モードで撮影することにより得られる効果が微妙なものであったとしても、その効果を容易に確認することが可能となる。
【図面の簡単な説明】
【００７３】
【図１】本発明の各実施の形態に共通するデジタルカメラの外観斜視図であって、（ａ）は正面側の斜視図、（ｂ）は背面側の斜視図である。
【図２】同デジタルカメラの電気的構成の概略を示すブロック構成図である。
【図３】フラッシュメモリの格納データを示す概念図である。
【図４】撮影条件テーブルを示した図である。
【図５】特徴領域データを示す概念図である。
【図６】第１の実施形態におけるベストショットモードでの動作を示すフローチャートである。
【図７】同ベストショットモードでの撮影待機状態における液晶モニタの表示画面の例を示す図である。
【図８】撮影待機状態の画像決定後における液晶モニタの表示画面の例を示す図である。
【図９】第２の実施形態におけるベストショットモードでの動作を示すフローチャートである。
【符号の説明】
【００７４】
５    シャッターキー
１３    方向キー
１４    セットキー
１５    液晶モニタ
１６    ストロボ発光部
２１    ＣＰＵ
２７    ＣＣＤ
３１    画像処理部
３２    ＳＤＲＡＭ
３３    外部メモリ
３４    フラッシュメモリ
１０１    システム領域
１０２    画像データ記憶領域
１０２    画像記憶領域
２０１    プログラムデータ
２０２    撮影条件データ
２０３    見本画像データ
２０４    特徴領域データ
３０１    第１のスルー画像
３０２    第２のスルー画像
３０３    特徴領域に相当する部分画像
３０４    拡大画像
３０５    拡大画像
４０１    第１の識別マーク
４０２    第２の識別マーク
５０１    選択枠
Ｔ    撮影条件設定テーブル
【図１】
2010028250.tif 000003
【図２】
2010028250.tif 000004
【図３】
2010028250.tif 000005
【図４】
2010028250.tif 000006
【図５】
2010028250.tif 000007
【図６】
2010028250.tif 000008
【図７】
2010028250.tif 000009
【図８】
2010028250.tif 000010
【図９】
2010028250.tif 000011